(57)【特許請求の範囲】
【請求項１】
洗濯機の筐体の頂部に取り付けられるコントロールパネル台において、前記コントロールパネル台内に、固体洗浄剤を投入する少なくとも１つのチャンバと、液体洗浄剤を入れる少なくとも１つの容器と、チャンバおよび容器のいずれともつながる洗浄剤自動投入装置とが設置され、前記コントロールパネル台の上端面に少なくとも２つの洗浄剤投入口が設けられ、各洗浄剤投入口が一つ一つ対応してチャンバおよび容器と通じること、
前記チャンバは、上部が開口した箱体構造であり、開口が洗浄剤投入口と対応し、箱体内に箱体内部を上下２層の空間に分ける仕切板が設けられ、仕切板に上下が通じる漏水口が設けられ、上層空間に給水、水均等化構造が設けられ、下層空間に水噴出口が設けられること、
前記チャンバが箱体本体および環状締結蓋を含み、箱体本体および環状締結蓋が開口の周囲で組み合わさり、水路を形成し、水路に給水口が設置され、水路の内側壁に上層空間とつながる複数の水均等化貫通孔がさらに設けられ、水路内に導水板が設けられ、水均等化貫通孔および導水板が、前記給水、水均等化構造を構成すること、および
前記水路が、方向が変わり、互いに通じている少なくとも２つの水タンクからなり、給水口がある水タンクから順番に、最後の水タンクの前まで、各水タンク内に導水板が設けられ、導水板は水タンク内で水流方向に沿って延伸し、水タンクの内外側壁と組み合わさって水タンクを内、外水路に分け、内水路は水均等化貫通孔からの出水に対応し、導水板が次の水タンクの開始位置まで延伸して内水路の末端を閉鎖し、外水路は次の水タンクに水を誘導すること、を特徴とする、洗浄剤を自動投入する機能を有する洗濯機のコントロールパネル台。
【請求項２】
前記コントロールパネル台の下方が、外周壁と、外周壁と接続される上端面と、衣類投入口を構成する内周壁とからなる収容空間であり、前記チャンバ、容器および洗浄剤自動投入装置がいずれも該収容空間内に設けられることを特徴とする、請求項１に記載の洗浄剤を自動投入する機能を有する洗濯機のコントロールパネル台。
【請求項３】
前記洗浄剤自動投入装置は、給水水流がベンチュリ管を通過するときに発生する負圧を利用して、容器内の液体洗浄剤を吸引し、定量投入する装置であることを特徴とする、請求項１に記載の洗浄剤を自動投入する機能を有する洗濯機のコントロールパネル台。
【請求項４】
前記洗浄剤自動投入装置は、水流が流れることにより負圧を発生させることができるベンチュリ管と、ベンチュリ管の負圧領域とつながる計量装置とを含み、前記計量装置が前記容器とつながり、計量装置と容器との間に洗浄剤投入制御バルブが設けられることを特徴とする、請求項３に記載の洗浄剤を自動投入する機能を有する洗濯機のコントロールパネル台。
【請求項５】
前記洗浄剤自動投入装置が計量装置の洗浄水路をさらに含み、洗浄水路を通過して計量装置まで給水されてから、負圧によりベンチュリ管が位置する通路まで吸引され、排出されることを特徴とする、請求項４に記載の洗浄剤を自動投入する機能を有する洗濯機のコントロールパネル台。
【請求項６】
前記水タンクが、箱体本体の開口の周囲における外部突起の凸台と、環状締結蓋とが密封結合して形成されることを特徴とする、請求項１に記載の洗浄剤を自動投入する機能を有する洗濯機のコントロールパネル台。
【請求項７】
前記箱体本体の側壁が、前、後、左、右の４つの側板からなり、左、右側板および前側板の外壁に、外側に突出する左、右凸台および前凸台が対応して設けられ、各凸台の高さが対応する側板の頂端より低く、左、右側板および前側板の頂端に、くぼみからなる複数の前記水均等化貫通孔が均等に設けられ、凸台に前記導水板が設けられ、前記環状締結蓋が、内周枠、外周枠および環状上蓋からなり、断面はｈ形構造を呈し、内周枠が箱体本体の開口内に位置し、内周枠の前枠および左、右枠が対応して、前側板および左、右側板との間に水が流れる空隙を有し、外周枠の前枠および左、右枠が対応して、前凸台および左、右凸台上で密封、重ね継ぎされ、組み合わさって水路を構成し、外周枠の後枠が後側板と密封接続されることを特徴とする、請求項１に記載の洗浄剤を自動投入する機能を有する洗濯機のコントロールパネル台。
【請求項８】
前記容器が少なくとも２つであり、このうち少なくとも１つの容器が、少なくとも２つのサブ容器がつながって形成され、該容器が、このうちの１つのサブ容器を介して洗浄剤投入口と通じることを特徴とする、請求項１に記載の洗浄剤を自動投入する機能を有する洗濯機のコントロールパネル台。
【請求項９】
前記洗浄剤投入口に開閉可能な蓋が設けられることを特徴とする、請求項１に記載の洗浄剤を自動投入する機能を有する洗濯機のコントロールパネル台。
【請求項１０】
前記コントロールパネル台の上端面後部に３つの洗浄剤投入口が設けられ、前部に操作表示パネルが設けられ、第１洗浄剤投入口が固体洗浄剤を投入するチャンバと通じ、第２洗浄剤投入口および第３洗浄剤投入口がそれぞれ対応する容器と通じ、第２洗浄剤投入口および第３洗浄剤投入口に、それぞれ開閉可能な蓋が設けられることを特徴とする、請求項１〜８のいずれか１項に記載の洗浄剤を自動投入する機能を有する洗濯機のコントロールパネル台。
【請求項１１】
前記第２洗浄剤投入口および第３洗浄剤投入口がそれぞれ、第１洗浄剤投入口の両側に設けられ、前記容器が２つであり、それぞれ第２洗浄剤投入口および第３洗浄剤投入口と通じ、各容器およびチャンバが収容空間内に配置されることを特徴とする、請求項１０に記載の洗浄剤を自動投入する機能を有する洗濯機のコントロールパネル台。
【請求項１２】
前記２つの容器のうちの１つの容器が、２つのサブ容器がつながって形成されることを特徴とする、請求項１１に記載の洗浄剤を自動投入する機能を有する洗濯機のコントロールパネル台。
【発明の詳細な説明】
【技術分野】
【０００１】
本発明は洗濯機分野に関し、具体的には全自動洗濯機のコントロールパネル台であり、特に洗浄剤を自動投入する機能を有する洗濯機のコントロールパネル台である。
【背景技術】
【０００２】
洗濯機は、機械を利用して水流を動かし、衣類などの繊維製品を洗浄することができる家庭用電気機器である。回転方式に基づいて、パルセータが回転する全自動洗濯機およびドラム式洗濯機に分けられる。ドラム式洗濯機は側部のドアを開く方式であり、途中でドアを開けて加えることができないため、外部に洗濯用液体洗剤、柔軟剤など各種洗浄剤を加え、給水して、ドラム内に流し入れる必要がある。典型的なパルセータ式全自動洗濯機は、蓋が上方に設置され、洗濯途中に一時停止し、蓋を開けることができるため、従来の製品における洗浄剤の投入に対する要求は高くない。
【０００３】
全自動洗濯機の基本的な構造は以下の通りである。１つの長方体の筐体を有し、内部に、回転し、衣類が収容される洗濯内槽を有する。洗濯内槽内の底部にパルセータが設けられ、パルセータは動力システムにより回転させることができ、動力システムはモータおよびクラッチシステムを含む。筐体の頂部は開くことができる蓋であり、蓋以外の部分は操作パネルである。操作パネルの裏側にコントロールシステムが設置され、現在のコントロールシステムはいずれも、マイクロコントローラを中心とした制御回路である。コントロールシステムはモータの回転方向、周波数、速度、および洗濯機の音声、光による警告、注意などあらゆる電気的反応を制御する。
【０００４】
既存の全自動洗濯機の洗浄剤ケースは、コントロールパネル台内部またはコントロールパネル台の後方に設置されるが、従来のこのような設計は多くの欠陥および不便をもたらす。洗浄剤ケースがコントロールパネル台内部に設置される場合、衣類投入口の後側のコントロールパネル台内に引き出し可能に設置され、衣類投入口に対応するコントロールパネル台の側部に開口が設けられる。洗浄剤ケースは該開口内に設置され、美観にもコントロールパネル台の支持強度にも影響を及ぼす。衣類を洗濯するたびに、洗浄剤ケースを引き出してから、洗浄剤を加えるため、使用が面倒である。洗濯機がすでに動作を開始している過程において、柔軟剤などの洗浄剤をさらに加える場合、さらに不便である。洗浄剤ケースをコントロールパネル台の後方に設置するとき、距離がユーザからやや遠いため、洗浄剤を加えるのに、ユーザは手を伸ばす必要があり、使用が不便であり、外部の美観にも影響を及ぼす。この他、人が洗浄剤を投入する場合、投入量が多すぎる、または少なすぎると、衣類の洗濯効果に影響を及ぼす。
【０００５】
しかし、自動化レベルの向上に伴い、家電のスマート化および環境保護、健康に対する要求は次第に高くなっている。これは、全自動洗濯機のスマート自動投入に対する要求である。
【０００６】
このことを考慮して、特に本発明を示す。
【発明の概要】
【発明が解決しようとする課題】
【０００７】
本発明が解決しようとする技術的問題は、既存技術の不足を克服し、洗濯用液体洗剤、柔軟剤などの数種の液体洗浄剤を精確に自動投入することができる洗濯機のコントロールパネル台を提供することである。
【課題を解決するための手段】
【０００８】
上記技術的問題を解決するため、本発明が採用する技術案の基本的構想は次の通りである。洗浄剤を自動投入する機能を有する洗濯機のコントロールパネル台において、前記コントロールパネル台内に、固体洗浄剤を投入する少なくとも１つのチャンバと、液体洗浄剤を入れる少なくとも１つの容器と、チャンバおよび容器のいずれともつながる洗浄剤自動投入装置とが設置される。コントロールパネル台の上端面に少なくとも２つの洗浄剤投入口が設けられ、各洗浄剤投入口は一つ一つ対応してチャンバおよび容器と通じる。
【０００９】
さらに、前記コントロールパネル台の下方は、外周壁と、外周壁と接続される上端面と、衣類投入口を構成する内周壁とからなる収容空間であり、前記チャンバ、容器および洗浄剤自動投入装置はいずれも該収容空間内に設けられる。
【００１０】
さらに、前記洗浄剤自動投入装置は、給水水流がベンチュリ管を通過するときに発生する負圧を利用して、容器内の液体洗浄剤を吸引し、定量投入する装置である。
【００１１】
さらに、前記洗浄剤自動投入装置は、水流が流れることにより負圧を発生させることができるベンチュリ管と、ベンチュリ管の負圧領域とつながる計量装置とを含む。前記計量装置は前記容器とつながり、計量装置と容器との間に洗浄剤投入制御バルブが設けられる。
【００１２】
さらに、前記洗浄剤自動投入装置は、計量装置の洗浄水路をさらに含む。洗浄水路を通過して計量装置まで給水されてから、負圧によりベンチュリ管が位置する通路まで吸引され、排出される。
【００１３】
さらに、前記チャンバは上部が開口した箱体構造であり、開口は洗浄剤投入口と対応する。箱体内に箱体内部を上下２層の空間に分ける仕切板が設けられ、仕切板に上下が通じる漏水口が設けられる。上層空間に給水、水均等化構造が設けられ、下層空間に水噴出口が設けられる。
【００１４】
さらに、前記チャンバは箱体本体および環状締結蓋を含み、箱体本体および環状締結蓋は開口の周囲で組み合わさり、水路を形成する。水路に給水口が設置され、水路の内側壁に上層空間とつながる複数の水均等化貫通孔がさらに設けられる。水路内に導水板が設けられ、水均等化貫通孔および導水板が、前記給水、水均等化構造を構成する。
【００１５】
さらに、前記水路は、方向が変わり、互いに通じている少なくとも２つの水タンクからなる。給水口がある水タンクから順番に、最後の水タンクの前まで、各水タンク内に導水板が設けられる。導水板は水タンク内で水流方向に沿って延伸し、水タンクの内外側壁と組み合わさって水タンクを内、外水路に分ける。内水路は水均等化貫通孔からの出水に対応し、導水板が次の水タンクの開始位置まで延伸して内水路の末端を閉鎖する。外水路は次の水タンクに水を誘導する。
【００１６】
前記水タンクは、箱体本体の開口の周囲における外部突起の凸台と、環状締結蓋とが密封結合して形成される。
【００１７】
さらに、前記箱体本体の側壁は、前、後、左、右の４つの側板からなり、左、右側板および前側板の外壁に、外側に突出する左、右凸台および前凸台が対応して設けられ、各凸台の高さは対応する側板の頂端より低い。左、右側板および前側板の頂端に、くぼみからなる複数の前記水均等化貫通孔が均等に設けられ、凸台に前記導水板が設けられる。前記環状締結蓋は、内周枠、外周枠および環状上蓋からなり、断面はｈ形構造を呈する。内周枠は箱体本体の開口内に位置し、内周枠の前枠および左、右枠が対応して、前側板および左、右側板との間に水が流れる空隙を有する。外周枠の前枠および左、右枠が対応して、前凸台および左、右凸台上で密封、重ね継ぎされ、組み合わさって水路を構成する。外周枠の後枠は後側板と密封接続される。
【００１８】
さらに、前記容器は少なくとも２つであり、このうち少なくとも１つの容器は、少なくとも２つのサブ容器がつながって形成される。該容器は、このうちの１つのサブ容器を介して洗浄剤投入口と通じる。
【００１９】
さらに、前記洗浄剤投入口に開閉可能な蓋が設けられる。
【００２０】
さらに、前記コントロールパネル台の上端面後部に３つの洗浄剤投入口が設けられ、前部に操作表示パネルが設けられる。第１洗浄剤投入口は固体洗浄剤を投入するチャンバと通じ、第２洗浄剤投入口および第３洗浄剤投入口はそれぞれ対応する容器と通じる。第２洗浄剤投入口および第３洗浄剤投入口に、それぞれ開閉可能な蓋が設けられる。
【００２１】
さらに、前記第２洗浄剤投入口および第３洗浄剤投入口はそれぞれ、第１洗浄剤投入口の両側に設けられる。前記容器は２つであり、それぞれ第２洗浄剤投入口および第３洗浄剤投入口と通じ、各容器およびチャンバは収容空間内に配置される。
【００２２】
好ましくは、前記容器のうちの１つの容器は、２つのサブ容器がつながって形成される。
【００２３】
本発明の前記コントロールパネル台に給水バルブが設けられ、給水バルブは洗浄剤自動投入装置とつながる。洗浄剤自動投入装置は出水管路を介してチャンバとつながり、前記チャンバに水噴出口が設けられる。前記容器は吸引管路を介して洗浄剤自動投入装置とつながり、洗浄剤自動投入装置が吸引した液体洗浄剤は出水管路を経てチャンバに至り、さらに水噴出口から排出される。
【００２４】
前記環状締結蓋に２つの給水口が設けられ、前記コントロールパネル台にさらに温水バルブが設けられる。温水バルブは第１給水口とつながり、第２給水口は洗浄剤自動投入装置とつながる。
【発明の効果】
【００２５】
上記技術案を採用すると、本発明は既存技術と比較して、以下の有益な効果を有する。
【００２６】
本発明の前記洗濯機のコントロールパネル台は、固体洗浄剤を投入するチャンバと、液体洗浄剤を入れる容器と、洗浄剤自動投入装置とを、いずれもコントロールパネル台下方の、それ自体を成型した収容空間内に取り付ける。元々分散して取り付けられる構造をコントロールパネル台に集めており、モジュール化生産にさらに有利であり、生産工程を簡略化し、生産コストを節約する。コントロールパネル台の上端面に、固体洗浄剤および液体洗浄剤を投入する洗浄剤投入口が設けられるため、ユーザは使用がより便利である。洗濯機のコントロールパネル台の内部空間を充分に利用し、新しい配置によって、ユーザの使用を便利にする。固体洗浄剤を投入するチャンバは一体成型構造であり、構造が簡単で、取付が便利である。チャンバの上層空間に給水、水均等化構造が設置され、導水板により様々な側部の水タンク内に水を誘導し、さらに水均等化貫通孔を利用して水流を分散させる。これにより給水が均等になり、粉末洗剤は徹底的に溶解され、固まりにくい。
【図面の簡単な説明】
【００２７】
【図１】図１は、本発明の前記洗濯機の構造概要図である。
【図２】図２は、図１中のＡ−Ａ方向の部分図である。
【図３】図３は、図１中のＢ−Ｂ方向の図である。
【図４】図４は、本発明の前記コントロールパネル台の構造概要図である。
【図５】図５は、本発明の前記コントロールパネル台の裏面の構造概要図である。
【図６】図６は、本発明の前記洗浄剤自動投入制御の概要図である。
【図７】図７は、本発明の前記洗浄剤自動投入制御の概要図である。
【図８】図８は、本発明の前記洗浄剤自動投入制御の概要図である。
【図９】図９は、本発明の前記洗浄剤自動投入制御の概要図である。
【図１０】図１０は、本発明の前記チャンバの構造概要図である。
【図１１】図１１は、本発明の前記チャンバの組立構造の概要図である。
【図１２】図１２は、図１０中のＣ−Ｃ方向の図である。
【図１３】図１３は、図１０中のＤ−Ｄ方向の図である。
【発明を実施するための形態】
【００２８】
以下に、図を組み合わせて、本発明の具体的実施方式について、さらに詳細に記載する。
【００２９】
図１から図５に示すように、全自動洗濯機は筐体１と、筐体１の頂部に取り付けられるコントロールパネル台２と、コントロールパネル台２に取り付けられる蓋３と、を含み、蓋３はコントロールパネル台２と後端でヒンジ接続される。洗濯機のコントロールパネル台２は上端面２１と、上端面２１とそれぞれ接続される外周壁２２、内周壁２３と、内周壁からなる衣類投入口２４とを含む。コントロールパネル台２の前側に操作表示パネル２５が設けられ、一般的にユーザの使用が便利なように前部に設けられる。筐体内に、水を入れる外槽と、外槽内に設けられ、衣類を入れる内槽とが取り付けられる。内槽上部は衣類投入口と対応し、外槽の下方に駆動装置および排水システムが設けられる（図示せず）。
【００３０】
本発明の前記コントロールパネル台２の下方は、外周壁２２と、外周壁と接続される上端面２１と、衣類投入口２４を構成する内周壁２３とから一体形成される収容空間２６である。収容空間２６内に、固体洗浄剤を投入する少なくとも１つのチャンバ４と、液体洗浄剤を入れる少なくとも１つの容器５と、チャンバ４および容器５のいずれともつながる洗浄剤自動投入装置６とが設置される。コントロールパネル台の上端面２１に少なくとも２つの洗浄剤投入口７が設けられ、各洗浄剤投入口７は一つ一つ対応してチャンバ４および容器５と通じる。
【００３１】
図３に示すように、本発明の前記洗濯機は筐体下部に設けられる台座１１と、台座に取り付けられる主制御板１２とをさらに含む。主制御板１２は、筐体の側壁に設けるか、または給水、排水、モータ駆動など制御モジュールを筐体内に分散して設け、データケーブルにより主制御モジュールに接続することもできる。上記構造の配置により、チャンバおよび容器を据えるコントロールパネル台下部の収容空間２６の容積が相対的に増加した。またチャンバおよび容器とコントロールシステムとを分けて配置し、洗濯機の安全性能を高めた。
【００３２】
前記コントロールパネル台２に給水バルブ２７が設けられ、給水バルブ２７は洗浄剤自動投入装置６とつながり、洗浄剤自動投入装置６は出水管路８を介してチャンバ４とつながる。前記容器５は吸引管路９を介して洗浄剤自動投入装置６とつながり、洗浄剤自動投入装置６が吸引する液体洗浄剤は出水管路８を経てチャンバ４に至り、さらにチャンバ４から排出される。
【００３３】
さらに、容器の貯蔵量を増大させるために、収容空間２６内に少なくとも２つの容器５が設けられる。このうち少なくとも１つの容器５は、少なくとも２つのサブ容器がつながって形成され（図５を参照）、２つのサブ容器には同一種類の液体洗浄剤を入れる。該容器は、このうちの１つのサブ容器を介して洗浄剤投入口と通じる。
【００３４】
本発明の前記洗浄剤自動投入装置６は、給水水流がベンチュリ管を通過するときに発生する負圧を利用して容器内の液体洗浄剤を吸引し、定量投入する装置である。
【実施例】
【００３５】
実施例１
図６から図９に示すように、本発明の前記洗浄剤自動投入装置６は、水流が流れることにより、負圧を発生させることができるベンチュリ管６１と、ベンチュリ管の負圧領域とつながる計量装置６２とを含む。前記計量装置６２は前記容器５とつながり、この間に洗浄剤自動投入制御バルブ６３が設けられる。ベンチュリ管の負圧領域に対応して、容器５とつながる吸引口６４が設けられ、洗浄液投入量を測定する計量装置６２は、吸引口６４と容器５との間に設けられる。
【００３６】
前記洗浄剤自動投入装置６は計量装置を洗浄する洗浄水路６５をさらに含み、洗浄水路６５の給水端は、出水管路８に設けられる洗浄出水口８１とつながる。給水バルブ２７が給水し、ベンチュリ管６１を流れると、洗浄出水口８１から計量装置６２まで給水され、さらに計量装置６２からベンチュリ管の負圧領域までつながる通路から排出される。洗浄水路６５に洗浄制御バルブ６６が設けられる。
【００３７】
洗浄剤を投入するとき、計量装置６２と容器５との間の通路が開き、洗浄水路６５と計量装置６２との間の通路が閉じる。給水バルブ２７が作動し、出水管路８から内槽１０に給水される。水流がベンチュリ管を通過するときに発生する負圧を利用して、容器５内の洗浄剤が吸引され、計量装置６２により計量された後、吸引口６４から出水管路８に進入し、さらに出水管路８の給水水流が内槽１０内に流れる。吸引された洗浄剤の量が、対応する必要値または設定値に達したことを計量装置６２が検出すると、計量装置６２と容器５との間の通路が閉じ、洗浄剤の投入が完了する。このとき、上記計量装置の洗浄工程をさらに実行することができる。
【００３８】
計量装置を洗浄するとき、給水バルブ２７が作動して、洗濯機に給水する。このとき計量装置６２と容器５との間の通路は閉じ、洗浄水路６５と計量装置６２との間の通路が開く。出水管路８中の水流がベンチュリ管６１を通過すると、ベンチュリ効果の原理を利用して、水流は太い状態から細くなり、給水の流速が加速し、負圧領域が発生する。洗浄水流は計量装置６２、吸引口６４から出水管路８に進入し、さらに出水管路８中の給水水流が内槽１０内に流れる。上記過程は単独の給水工程でもあり、単独で給水するとき、上記工程において、洗浄水路６５と計量装置６２との間の通路も同時に閉じることができる。
【００３９】
実施例２
図６に示すように、本実施例の前記洗浄剤自動投入装置６中における、液体洗浄剤を入れる容器５は１つである。洗浄水路６５上の洗浄制御バルブ６６は、洗浄剤投入制御バルブ６３と同じ制御バルブである。該制御バルブは３方向バルブであり、１つの出口および２つの入口を有し、出口は計量装置６２とつながり、２つの入口はそれぞれ容器５、洗浄水路６５の出水端と一つ一つ対応してつながる。該制御バルブは計量装置６２と容器５との間の通／断を制御し、同時に計量装置６２と洗浄水路６５との間の断／通を制御する。
【００４０】
実施例３
図７に示すように、本実施例の前記洗浄制御バルブ６６は前記給水バルブ２７に統合される。該給水バルブ２７は少なくとも２つの出水口が設けられる電磁バルブであり、１つの出水口は出水管路８に接続され、もう１つの出水口は洗浄水路６５に接続される。
【００４１】
実施例４
図８および図９に示すように、本実施例と上記実施例との違いは次の通りである。本実施例の前記洗浄剤を入れる容器５は２つであり、それぞれ洗浄剤容器および柔軟剤容器である。洗浄剤容器および柔軟剤容器と計量装置６２との間はいずれも、同じ洗浄剤投入制御バルブ６３によりその通路の開通、遮断が制御される。該洗浄剤投入制御バルブ６３は三方向バルブであり、１つの出口および２つの入口を有する。出口は計量装置６２とつながり、２つの入口はそれぞれ洗浄剤容器および柔軟剤容器と一つ一つ対応してつながる（図８を参照）。
【００４２】
または、計量装置６２は三方管１３を介してそれぞれ洗浄剤容器および柔軟剤容器とつながる。洗浄剤投入制御バルブ６３は２つであり、それぞれ洗浄剤制御バルブ６３１および柔軟剤制御バルブ６３２である（図９を参照）。
【００４３】
実施例５
図４および図５に示すように、本発明の前記コントロールパネル台の上端面２１の後部に３つの洗浄剤投入口７が設けられ、前部に操作表示パネル２５が設けられる。前記洗濯機の蓋３を閉じた状態では、前記洗浄剤投入口７を覆い、前部の操作表示パネル２５は露出する。３つの洗浄剤投入口７において、第１洗浄剤投入口７１は固体洗浄剤を投入するチャンバ４と通じ、第１洗浄剤投入口７１の下方がチャンバ４であり、一般的に粉末洗剤を投入する。第２洗浄剤投入口７２および第３洗浄剤投入口７３は対応して異なる容器と通じ、第２洗浄剤投入口７２および第３洗浄剤投入口７３にそれぞれ開閉可能な蓋１４が設けられる。
【００４４】
本実施例の好ましい案として、前記第２洗浄剤投入口７２および第３洗浄剤投入口７３はそれぞれ第１洗浄剤投入口７１の両側に設けられる。前記容器５は第１容器５１、第２容器５２および第３容器５３を含み、第３容器５３は第２容器５２とつながる。このうち第１容器５１は第２洗浄剤投入口７２とつながり、第２容器５２は第３洗浄剤投入口７３とつながる。第１容器５１、第２容器５２、第３容器５３およびチャンバ４は、衣類投入口２４の左右側および後側の収容空間２６内に配置され、第１容器５１は柔軟剤を入れる容器であり、第２容器５２および第３容器５３は洗浄液を入れる容器である。
【００４５】
実施例６
図１０から図１３に示すように、本発明の前記チャンバ４は上部が開口した箱体構造であり、開口は洗浄剤投入口７と対応する（図３を参照）。箱体内に箱体内部を上下２層の空間４２、４３に分ける仕切板４１が設けられ、仕切板４１に上下が通じる漏水口４４が設けられる。上層空間４２に給水、水均等化構造が設けられ、下層空間４３に水噴出口４５が設けられる。水噴出口４５の底部に前に伸びる導流板４５１が設けられ、導流板４５１は下に傾斜しており、水が噴出して内槽に進入するのに便利である。
【００４６】
前記チャンバ４は箱体本体４０および環状締結蓋４６を含み、箱体本体４０および環状締結蓋４６が開口の周囲で組み合わさり、水路４７を形成する。水路４７に給水口４８が設置され、水路４７の内側壁に、上層空間につながる複数の水均等化貫通孔４７１がさらに設けられる。水路４７内に導水板４７２が設けられ、水均等化貫通孔４７１および導水板４７２が前記給水、水均等化構造を構成する。
【００４７】
図１２に示すように、前記水路４７は、方向が変わり、互いに通じている３つの水タンク４７０１、４７０２、４７０３からなる。給水口４８がある水タンク４７０１から順番に、最後の水タンク４７０３の前まで、各水タンク内に導水板４７２が設けられ、導水板４７２は水タンク内で水流の方向に沿って延伸し、水タンクの内外側壁と組み合わさり、水タンクを内水路４７１１および外水路４７１２に分ける。内水路４７１１は水均等化貫通孔４７１からの出水に対応し、導水板４７２が次の水タンク４７０２、４７０３の開始位置まで延伸して内水路の末端を閉鎖する。外水路４７１２は次の水タンク４７０２、４７０３に水を誘導し、最後の水タンク４７０３の対応する水均等化貫通孔４７１から出水される。
【００４８】
図１１から図１３に示すように、前記箱体本体４０の側壁は、前側板４０１、後側板４０２、左側板４０３、右側板４０４の４つの側板からなる。左側板４０３、右側板４０４および前側板４０１の外壁に、外側に突出する左凸台４０５、右凸台４０６および前凸台４０７が対応して設けられ、各凸台の高さは対応する側板の頂端より低い。左側板４０３、右側板４０４および前側板４０１の頂端に、くぼみからなる複数の前記水均等化貫通孔４７１が均等に設けられ、左凸台４０５および前凸台４０７に前記導水板４７２が設けられる。前記環状締結蓋４６は、内周枠４６１、外周枠４６２および環状上蓋４６３からなり、断面はｈ形構造を呈する。内周枠４６１は箱体本体４０の開口内に位置し、内周枠４６１の前枠４６１１および左枠４６１２、右枠４６１３が対応して、前側板４０１および左側板４０３、右側板４０４との間に水が流れる空隙を有する。外周枠４６２の前枠４６２１および左枠４６２２、右枠４６２３が対応して、前凸台４０７および左凸台４０５、右凸台４０６上に密封、重ね継ぎされ、組み合わさって全体の水路４７を構成し、それぞれ互いに通じる３つの左、前、右水タンクである。外周枠４６２の後枠４６２４は後側板４０２と密封接続され、下層空間４３の対応する前側板４０１に水噴出口４５が設けられる。
【００４９】
実施例７
図５に示すように、本発明の前記コントロールパネル台２にさらに温水バルブ２８が設けられ、温水バルブ２８は温水管路を介して直接チャンバ４とつながる。前記環状締結蓋４６に２つの給水口４８１、４８２が設けられ、温水バルブ２８は第１給水口４８１とつながり、第２給水口４８２は洗浄剤自動投入装置６と出水管路８を介してつながる。温水で洗濯する必要があるとき、同時に２つの給水口から一緒に給水することができ、温水で洗濯する必要がない場合、温水バルブ２８を閉じる。直接給水バルブ２７から給水し、順番にベンチュリ管６１、出水管路８、第２給水口４８２を通過してチャンバ４内に至り、さらに水噴出口４５から内槽に排出される。
【００５０】
上記実施例における実施案はさらなる組合せまたは置換を行うことができ、また実施例は本発明の好ましい実施例を記載したに過ぎず、本発明の構想および範囲を限定しない。本発明の設計、構想を逸脱しない前提において、当業者が本発明の技術案に対して行う各種の変更および改良は、いずれも本発明の保護範囲に属する。
【図１】
0006372670.tif 000002
【図２】
0006372670.tif 000003
【図３】
0006372670.tif 000004
【図４】
0006372670.tif 000005
【図５】
0006372670.tif 000006
【図６】
0006372670.tif 000007
【図７】
0006372670.tif 000008
【図８】
0006372670.tif 000009
【図９】
0006372670.tif 000010
【図１０】
0006372670.tif 000011
【図１１】
0006372670.tif 000012
【図１２】
0006372670.tif 000013
【図１３】
0006372670.tif 000014